(57)【要約】【課題】安定した空気噴出を行なうことを可能とした空調機能を有する車両用シートを提供する。【解決手段】本発明の車両用シートは、シートパッドの表面を表皮材で覆うことで構成されるシートクッション及びシートバックと、前記シートパッドを貫通して前記表皮材の表面にまで至る複数の通気孔と、ダクト表面から突出し前記通気孔に連結する複数のエア排出口と、前記ダクト及びエア排出口を介して前記通気孔へ車室内の空気を圧送する送風装置とを備え、前記シートクッション側及び前記シートバック側に取り付けた状態の前記ダクトの一部が、水平方向に対して上方又は下方に屈曲している。【選択図】図５
2005289086.tif 000002
【特許請求の範囲】
【請求項１】
シートパッドの表面を表皮材で覆うことで構成されるシートクッション及びシートバックと、前記シートパッドを貫通して前記表皮材の表面にまで至る複数の通気孔と、ダクト表面から突出し前記通気孔に連結する複数のエア排出口と、前記ダクト及びエア排出口を介して前記通気孔へ車室内の空気を圧送する送風装置とを備える車両用シートにおいて、
前記シートクッション側及び前記シートバック側に取り付けた状態の前記ダクトの一部が、水平方向に対して上方又は下方に屈曲していることを特徴とする車両用シート。
【発明の詳細な説明】
【技術分野】
【０００１】
本発明は、空調機能を有する車両用シートに関する。
【背景技術】
【０００２】
近年、車両用シートのシートクッション及びシートバックの表皮に複数の通気孔を設け、送風ユニットからの空気を通気孔から噴出させる空調機能を有する車両用シートが知られている（例えば、特許文献１参照。）。
【０００３】
特許文献１に開示された車両用シートは、シートクッション及びシートバックを構成する表皮、カバーパッド及びパッドを貫通するように複数の通気孔を設け、シートクッション下面に送風機、中間ダクト及びシートクッション排気ダクトを配置し、シートバック背面にシートバック排気ダクトを配置して構成されている。
シートクッション排気ダクト及びシートバック排気ダクトの表面には、僅かに突出したエア排出孔が形成されており、このエア排出孔を上記通気孔内部に嵌合させた状態で、送風機から中間ダクトを介してシートクッション排気ダクト及びシートバック排気ダクトに空気を送り込み、エア排出孔に接続する通気孔からシート表面に空気を噴出させるようになっている。
【特許文献１】特開平１０−２９７２７４号公報
【発明の開示】
【発明が解決しようとする課題】
【０００４】
ところが、特許文献１に開示された車両用シートは、シートクッション下面及びシートバックの背面の形状が略平面になっていることに対応して、シートクッション排気ダクト及びシートバック排気ダクトも略平面形状となっている。
従って、例えば、着座者が飲み物等の液体をシートクッションやシートバックにこぼした際に、通気孔から侵入した液体がこれら排気ダクト内を通過して送風機にまで至り、送風機が故障するおそれがあった。
【０００５】
本発明の課題は、上述の問題を考慮したものであり、安定した空気噴出を行なうことを可能とした空調機能を有する車両用シートを提供することである。
【課題を解決するための手段】
【０００６】
以上の課題を解決するために、請求項１に記載の発明は、シートパッドの表面を表皮材で覆うことで構成されるシートクッション及びシートバックと、前記シートパッドを貫通して前記表皮材の表面にまで至る複数の通気孔と、ダクト表面から突出し前記通気孔に連結する複数のエア排出口と、前記ダクト及びエア排出口を介して前記通気孔へ車室内の空気を圧送する送風装置とを備える車両用シートにおいて、前記シートクッション側及び前記シートバック側に取り付けた状態の前記ダクトの一部が、水平方向に対して上方又は下方に屈曲していることを特徴とする。
【０００７】
請求項１に記載の発明によれば、本実施の形態に係る車両用シートによれば、シートクッション側及びシートバック側に取り付けた状態のダクトの一部が、水平方向に対して上方又は下方に屈曲しているので、例えば、着座者が飲み物等の液体をシートクッションやシートバックにこぼした際に、通気孔からダクト内に侵入した液体は、ダクトが上方に屈曲している部分で進行が妨げられるか、又は、ダクトが下方に屈曲している部分に留まるので、液体が送風装置にまで至り、送風機が故障する事態を未然に防止できる。
【発明の効果】
【０００８】
本発明によれば、安定した空気噴出を行なうことを可能とした空調機能を有する車両用シートを得られる。
【発明を実施するための最良の形態】
【０００９】
以下、図を参照して本発明を実施するための最良の形態について詳細に説明する。
図１に示すように、車両用シート１０はシートクッション２０、シートバック３０、シートバック３０の上部に設けたヘッドレスト４０等から概略構成されており、図２に示すように、シートバック３０は、シート形状を保持し、且つ、クッション材として機能するパッド３１の表面を、通気性を有するカバーパッド３２で覆い、更にカバーパッド３２の表面を表皮材３３で覆うことで構成されている。なお、図２はシートバック３０を示すものであるが、シートクッション２０も同様に、パッド３１の表面をカバーパッド３２と表皮材３３で覆う構成となっている。以下の説明においては、パッド３１とカバーパッド３２を合わせて「シートパッド３４」と表記する。
表皮材３３の表面には複数の通気孔３３ａが形成されており、図２に示すように、各通気孔３３ａは、ダクト６０表面のエア排出口６１に接続している。
【００１０】
図３は車両用シート１０のシートクッション２０側の骨格構造を示す斜視図であり、図４はこれを下面側から見た斜視図である。
シートクッション２０側の骨格構造は、左右一対のシートレール２１、このシートレール２１に取付けた左右一対のシートフレーム２２、シートスプリング２３、シートフレーム２２の前部に架け渡されるパンフレーム２４等から概略構成されている。
【００１１】
図４に示すように、シートクッション２０用の送風装置５０は、パンフレーム２４下面の前方と中央に１つずつ取り付けられている。
前方の送風装置５０の送風口に接続するダクト６０は、パンフレーム２４に設けた開口を通って、パンフレーム２４上面に至り、左右２方向に枝分かれすると共に、図５に示すように、その一部に水平方向に対して上方側に屈曲する屈曲部７０を有しており、屈曲部７０からパンフレーム２４上面を後方に伸びている。
【００１２】
また、後方の送風装置５０の送風口に接続するダクト６０は、パンフレーム２４の下面側を後方に伸び、左右２方向に枝分かれすると共に、図４に示すように、その一部が水平方向に対して下方側に屈曲する屈曲部７０を有している。
各ダクト６０の上面であって、複数の通気孔３３ａに対応する位置には、筒状のエア排出口６１が上方に突出して複数設けられている。
【００１３】
図６はシートバック３０の背面図であり、シートバック３０は、中央に開口３１ａを有するサブシートフレーム３１と、このサブシートフレーム３１に取付けたシートスプリング２３（図示略）等から概略構成されている。
【００１４】
シートパック用の送風装置５０は、サブシートフレーム３１背面の左右いずれか一方の下方に取り付けられている。
図７に示すように、送風装置５０の送風口に接続するダクト６０は水平方向に対して上方側に屈曲する屈曲部７０を有しており、サブシートフレーム３１の開口３１ａ内で左右２箇所から上方に伸びている。
ダクト６０の前面であって、複数の通気孔３３ａに対応する位置には、上記シートクッション２０側と同様に、筒状のエア排出口６１が上方に突出して複数設けられている。
【００１５】
シートクッション２０側とシートバック３０側のエア排出口６１はそれぞれシートクッション２０側とシートバック３０側の通気孔３３ａ内部に嵌合している。
【００１６】
以上のように、本実施の形態に係る車両用シート１０によれば、シートクッション２０側及びシートバック３０側に取り付けた状態のダクト６０の一部が、水平方向に対して上方に屈曲しているので、例えば、着座者が飲み物等の液体をシートクッション２０やシートバック３０にこぼした際に、通気孔３３ａからダクト６０内に侵入した液体は、屈曲部７０で進行が妨げられるので、液体が送風装置５０にまで至り、送風機が故障する事態を未然に防止できる。
【００１７】
なお、本実施の形態においては、ダクト６０の一部が水平方向に対して上方に屈曲するものとしたが、これに限らず、ダクト６０の一部が水平方向に対して下方に屈曲する構成であっても良い。この場合、通気孔３３ａからダクト６０内に侵入した液体は、ダクト６０が下方に屈曲している部分に留まるので、液体が送風装置５０にまで至り、送風装置５０が故障する事態を未然に防止できる。
【図面の簡単な説明】
【００１８】
【図１】車両用シートの外形を示す斜視図である。
【図２】シートバックの構造を示す要部縦断面図である。
【図３】車両用シートのシートクッション側の骨格構造を示す斜視図である。
【図４】車両用シートのシートクッション側の骨格構造を示す斜視図である。
【図５】車両用シートのシートクッション側のダクト形状を示す正面図である。
【図６】車両用シートのシートバック側の骨格構造を示す斜視図である。
【図７】車両用シートのシートバック側のダクト形状を示す正面図である。
【符号の説明】
【００１９】
１０  車両用シート
２０  シートクッション
３０  シートバック
３１  パッド
３２  カバーパッド
３３  表皮材
３３ａ  通気孔
３４  シートパッド
４０  ヘッドレスト
５０  送風装置
６０  ダクト
６１  エア排出口
７０  屈曲部
【図１】
2005289086.tif 000003
【図２】
2005289086.tif 000004
【図３】
2005289086.tif 000005
【図４】
2005289086.tif 000006
【図５】
2005289086.tif 000007
【図６】
2005289086.tif 000008
【図７】
2005289086.tif 000009